【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
燃料電池ユニットまたはシステム用の液状およびガス状の改質可能な燃料を供給するシステムであって、
液状改質可能燃料貯蔵器であって、前記液状改質可能燃料貯蔵器の内部は、液状改質可能燃料空間およびガス頭隙を有し、前記液状改質可能燃料空間は、燃料電池ユニットの蒸発器および／または流体混合装置と動作可能に流体連通している、液状改質可能燃料貯蔵器と、
前記液状改質可能燃料貯蔵器の前記ガス頭隙と動作可能に流体連通している圧力逃がし弁アセンブリと、
前記液状改質可能燃料貯蔵器の前記ガス頭隙と動作可能に流体連通しているガス正圧源と、
燃料電池ユニットの蒸発器、改質装置、燃料電池スタック、およびアフタバーナの少なくとも１つと動作可能に流体連通しているガス状改質可能燃料源と、
を含む液状およびガス状改質可能燃料供給システム。
【請求項２】
前記ガス状改質可能燃料源と、前記蒸発器、前記改質装置、前記燃料電池スタック、および前記アフタバーナの少なくとも１つとの間を流体連通させるように動作可能な第１の弁アセンブリと、
前記液状改質可能燃料空間と、前記蒸発器および／または前記流体混合装置との間を流体連通させるように動作可能な第２の弁アセンブリと、
を含む、請求項１に記載の液状およびガス状改質可能燃料供給システム。
【請求項３】
燃料電池ユニットまたはシステム用の液状およびガス状の改質可能な燃料を供給するシステムであって、
液状改質可能燃料貯蔵器であって、前記液状改質可能燃料貯蔵器の内部は、液状改質可能燃料空間およびガス頭隙を有し、前記液状改質可能燃料空間は、燃料電池ユニットの蒸発器および／または流体混合装置と動作可能に流体連通している、液状改質可能燃料貯蔵器と、
前記液状改質可能燃料貯蔵器の前記ガス頭隙と動作可能に流体連通している圧力逃がし弁アセンブリと、
前記液状改質可能燃料貯蔵器の前記ガス頭隙と動作可能に流体連通しており、燃料電池ユニットの蒸発器、改質装置、燃料電池スタック、およびアフタバーナの少なくとも１つと動作可能に流体連通しているガス状改質可能燃料源と、
を含む、液状およびガス状改質可能燃料供給システム。
【請求項４】
前記ガス状改質可能燃料源と異なるガス正圧源を含み、前記ガス正圧源は、前記液状改質可能燃料貯蔵器の前記ガス頭隙と動作可能に流体連通している、請求項３に記載の液状およびガス状改質可能燃料供給システム。
【請求項５】
前記ガス状改質可能燃料源と、前記蒸発器、前記改質装置、前記燃料電池スタック、および前記アフタバーナの少なくとも１つとの間と、前記ガス状改質可能燃料源と前記液状改質可能燃料貯蔵器の前記ガス頭隙との間とを流体連通させるように動作可能な第１の弁アセンブリと、
前記液状改質可能燃料空間と、前記蒸発器および／または前記流体混合装置との間を流体連通させるように動作可能な第２の弁アセンブリと、
を含む、請求項３または４に記載の液状およびガス状改質可能燃料供給システム。
【請求項６】
前記ガス状改質可能燃料源と前記液状改質可能燃料貯蔵器の前記ガス頭隙との間を流体連通させるように動作可能な第３の弁アセンブリを含み、
前記第１の弁アセンブリは、前記ガス状改質可能燃料源と、前記蒸発器、前記改質装置、前記燃料電池スタック、および前記アフタバーナの少なくとも１つとの間を流体連通させるように動作可能である、請求項５に記載の液状およびガス状改質可能燃料供給システム。
【請求項７】
前記圧力逃がし弁アセンブリ、前記第１の弁アセンブリ、前記第２の弁アセンブリ、および存在する場合には前記第３の弁アセンブリのそれぞれは、比例弁、開閉弁、三方弁、逆止弁、およびオリフィスの少なくとも１つを含む、請求項２、５、または６のいずれか一項に記載の液状およびガス状改質可能燃料供給システム。
【請求項８】
蒸発器を含み、前記蒸発器は、前記液状改質可能燃料貯蔵器の前記液状改質可能燃料空間と動作可能に流体連通しており、改質装置の入口、流体混合装置の入口、および燃料電池スタックの入口の少なくとも１つと動作可能に流体連通している、請求項１から７のいずれか一項に記載の液状およびガス状改質可能燃料供給システム。
【請求項９】
前記液状改質可能燃料貯蔵器の前記ガス頭隙は、蒸発器、流体混合装置、改質装置、燃料電池スタック、およびアフタバーナの少なくとも１つと動作可能に流体連通している、請求項１から８のいずれか一項に記載の液状およびガス状改質可能燃料供給システム。
【請求項１０】
前記液状改質可能燃料貯蔵器の前記ガス頭隙は、圧力逃がし弁アセンブリを介して、前記蒸発器、前記流体混合装置、前記改質装置、前記燃料電池スタック、および前記アフタバーナの少なくとも１つと動作可能に流体連通している、請求項９に記載の液状およびガス状改質可能燃料供給システム。
【請求項１１】
流体混合装置を含み、前記流体混合装置の１つまたは複数の入口は、液状改質可能燃料空間、前記蒸発器の出口、ガス状改質可能燃料源、および酸素含有ガス源の少なくとも１つと動作可能に流体連通しており、および前記流体混合装置の出口は、改質装置および／または燃料電池スタックと動作可能に流体連通している、請求項１から１０のいずれか一項に記載の液状およびガス状改質可能燃料供給システム。
【請求項１２】
酸素含有ガス源を含み、前記酸素含有ガス源は、前記蒸発器、前記流体混合装置、前記改質装置、および前記燃料電池スタックの少なくとも１つと動作可能に流体連通している、請求項１から１１のいずれか一項に記載の液状およびガス状改質可能燃料供給システム。
【請求項１３】
前記ガス正圧源は、容積型ブロワ、ポンプ、またはコンプレッサと、ダイナミックブロワ、ポンプ、またはコンプレッサと、圧縮ガスの容器との１つまたは複数を含む、請求項１、２、または４から１２のいずれか一項に記載の液状およびガス状改質可能燃料供給システム。
【請求項１４】
前記液状改質可能燃料空間は、ブラダの内部によって画定され、前記ブラダの前記内部は、前記第２の弁アセンブリを介して前記蒸発器と動作可能に流体連通している、請求項１から１３のいずれか一項に記載の液状およびガス状改質可能燃料供給システム。
【請求項１５】
前記液状改質可能燃料貯蔵器の前記液状改質可能燃料空間と流体連通している主液状改質可能燃料源と、液状改質可能燃料を前記主液状改質可能燃料源から前記液状改質可能燃料空間に供給するポンプとをさらに含む、請求項１から１４のいずれか一項に記載の液状およびガス状改質可能燃料供給システム。
【請求項１６】
液状改質可能燃料を蒸発器および／または燃料混合装置に供給するための液体ポンプを含まない、請求項１から１５のいずれか一項に記載の液状およびガス状改質可能燃料供給システム。
【請求項１７】
前記供給システムの構成要素間に配置され、それらの間を動作可能に流体連通させる複数の導管を含む、請求項１から１６のいずれか一項に記載の液状およびガス状改質可能燃料供給システム。
【請求項１８】
請求項１から１７のいずれか一項に記載の液状およびガス状改質可能燃料供給システムと、蒸発器と動作可能に流体連通している改質装置と、前記蒸発器および／または前記改質装置と動作可能に流体連通している燃料電池スタックと、前記燃料電池スタックの排出口と動作可能に流体連通しているアフタバーナとを含む燃料電池ユニットまたはシステム。
【請求項１９】
請求項３、８から１２、または１４から１８のいずれか一項に記載の液状およびガス状改質可能燃料供給システムを動作させる方法であって、前記ガス状改質可能燃料源から蒸発器、改質装置、燃料電池スタック、およびアフタバーナの少なくとも１つへのガス状改質可能燃料の供給と、前記液状改質可能燃料貯蔵器から蒸発器および／または流体混合装置への液状改質可能燃料の供給とを制御するために、前記液状改質可能燃料貯蔵器の前記ガス頭隙のガス圧と、前記ガス状改質可能燃料源からのガス圧とを調整することを含む方法。
【請求項２０】
請求項１、４、または８から１８のいずれか一項に記載の液状およびガス状改質可能燃料供給システムを動作させる方法であって、前記ガス状改質可能燃料源から蒸発器、改質装置、燃料電池スタック、およびアフタバーナの少なくとも１つへのガス状改質可能燃料の供給と、前記液状改質可能燃料貯蔵器から蒸発器および／または流体混合装置への液状改質可能燃料の供給とを制御するために、前記液状改質可能燃料貯蔵器の前記ガス頭隙のガス圧と、前記ガス状改質可能燃料源および前記ガス正圧源からのガス圧とを調整することを含む方法。
【請求項２１】
請求項２、５、または７から１８のいずれか一項に記載の液状およびガス状改質可能燃料供給システムを動作させる方法であって、前記ガス状改質可能燃料源から蒸発器、改質装置、燃料電池スタック、およびアフタバーナの少なくとも１つへのガス状改質可能燃料の供給と、前記液状改質可能燃料貯蔵器から蒸発器および／または流体混合装置への液状改質可能燃料の供給とを制御するために、前記圧力逃がし弁アセンブリ、前記第１の弁アセンブリ、および前記第２の弁アセンブリを調整することを含む方法。
【請求項２２】
請求項６または７から１８のいずれか一項に記載の液状およびガス状改質可能燃料供給システムを動作させる方法であって、前記ガス状改質可能燃料源から蒸発器、改質装置、燃料電池スタック、およびアフタバーナの少なくとも１つへのガス状改質可能燃料の供給と、前記液状改質可能燃料貯蔵器から蒸発器および／または流体混合装置への液状改質可能燃料の供給とを制御するために、前記圧力逃がし弁アセンブリ、前記第１の弁アセンブリ、前記第２の弁アセンブリ、および存在する場合には前記第３の弁アセンブリを調整することを含む方法。
【請求項２３】
燃料電池ユニットまたはシステムの始動モードにおいて、前記圧力逃がし弁アセンブリ、前記第１の弁アセンブリ、前記第２の弁アセンブリ、および存在する場合には前記第３の弁アセンブリを調整することは、
前記第１の弁アセンブリを介して、ガス状改質可能燃料を蒸発器、改質装置、燃料電池スタック、およびアフタバーナの少なくとも１つに供給することと、
蒸発器および流体混合装置への液状改質可能燃料の供給を最小限にするか、または妨げることと
を含む、請求項２１または２２に記載の方法。
【請求項２４】
アフタバーナの燃焼を開始するために、ガス状改質可能燃料を前記アフタバーナに供給することを含む、請求項２３に記載の方法。
【請求項２５】
燃料電池ユニットまたはシステムの定常状態モードにおいて、前記圧力逃がし弁アセンブリ、前記第１の弁アセンブリ、前記第２の弁アセンブリ、および存在する場合には前記第３の弁アセンブリを調整することは、
液状改質可能燃料を前記液状改質可能燃料貯蔵器から前記第２の弁アセンブリを介して蒸発器および／または流体混合装置に移動させるために、前記第１の弁アセンブリおよび／または存在する場合には前記第３の弁アセンブリを介して、ガス状改質可能燃料を前記ガス頭隙に供給し、および／または前記ガス正圧源から前記ガス頭隙にガスを供給することと、
前記第１の弁アセンブリを介した蒸発器、改質装置、燃料電池スタック、およびアフタバーナへのガス状改質可能燃料の供給を最小限にするか、または妨げることと、
を含む、請求項２１から２４のいずれか一項に記載の方法。
【請求項２６】
前記液状改質可能燃料貯蔵器の前記ガス頭隙から蒸発器、改質装置、燃料電池スタック、およびアフタバーナの少なくとも１つにガスを供給することを含む、請求項１９から２５のいずれか一項に記載の方法。
【請求項２７】
液体ポンプを使用することなく、燃料電池ユニットへのガス状および液状改質可能燃料の流れおよび供給を制御する方法であって、
ガス状改質可能燃料を蒸発器、流体混合装置、改質装置、燃料電池スタック、およびアフタバーナの少なくとも１つに供給することと、
ガス正圧を液状改質可能燃料貯蔵器のガス頭隙に加えて、
（ａ）液状改質可能燃料を蒸発器および／または流体混合装置に供給すること、および
（ｂ）前記ガス頭隙から蒸発器、流体混合装置、改質装置、燃料電池スタック、およびアフタバーナの少なくとも１つにガスを供給すること
の少なくとも１つを行うことと
を含み、前記液状改質可能燃料は、液状ポンプを使用することなく流れる、方法。
【請求項２８】
前記液状改質可能燃料は、ガス状改質可能燃料用の導管を通過しない、請求項２７に記載の方法。
【請求項２９】
液体ポンプを使用することなく、燃料電池ユニットへのガス状および液状改質可能燃料の供給を制御する方法であって、
第１のガス正圧を使用して、液状改質可能燃料を蒸発器および／または流体混合装置に移動および供給することと、
第２のガス正圧を使用して、ガス状改質可能燃料を蒸発器、改質装置、燃料電池スタック、蒸発した液状改質可能燃料の流れ、およびアフタバーナの少なくとも１つに供給することと
を含む方法。
【請求項３０】
前記第１のガス正圧を使用して、液状改質可能燃料の貯蔵器のガス頭隙からガスを移動させ、前記ガスを蒸発器、改質装置、燃料電池スタック、およびアフタバーナの少なくとも１つに供給することを含む、請求項２９に記載のガス状および液状改質可能燃料の供給を制御する方法。
【請求項３１】
前記第１のガス正圧および前記第２のガス正圧は同一である、請求項２９または３０に記載の方法。
【請求項３２】
液状改質可能燃料を供給することまたは液状改質可能燃料の供給は、流体混合装置に液状改質可能燃料を供給することまたは流体混合装置への液状改質可能燃料の供給を含み、前記流体混合装置の１つまたは複数の入口は、液状改質可能燃料空間と動作可能に流体連通しており、酸素含有ガス源と動作可能に流体連通しており、および前記流体混合装置の出口は、改質装置および／または燃料電池スタックと動作可能に流体連通している、請求項１９から３１のいずれか一項に記載の方法。
【請求項３３】
液状改質可能燃料を供給することまたは液状改質可能燃料の供給は、流体混合装置に蒸発した液状改質可能燃料および／またはガス状改質可能燃料と酸素含有ガスとを供給することまたは流体混合装置への蒸発した液状改質可能燃料および／またはガス状改質可能燃料と酸素含有ガスとの供給を含み、前記流体混合装置の１つまたは複数の入口は、蒸発器および／またはガス状改質可能燃料源の出口と動作可能に流体連通しており、酸素含有ガス源と動作可能に流体連通しており、および前記流体混合装置の出口は、改質装置および／または燃料電池スタックと動作可能に流体連通している、請求項１９から３１のいずれか一項に記載の方法。
【請求項３４】
液状改質可能燃料の流れ、蒸発器、蒸発した液状改質可能燃料の流れ、ガス状改質可能燃料の流れ、流体混合装置、改質装置、燃料電池スタック、およびアフタバーナの少なくとも１つに酸素含有ガスを供給することを含む、請求項１９から３１のいずれか一項に記載の方法。
【請求項３５】
前記ガス圧を調整することまたは前記弁アセンブリを調整することは、前記液状改質可能燃料貯蔵器の前記ガス頭隙から蒸発器、流体混合装置、改質装置、燃料電池スタック、およびアフタバーナの少なくとも１つへのガスの供給を制御する、請求項１９から３４のいずれか一項に記載の方法。
【請求項３６】
前記液状改質可能燃料貯蔵器の前記ガス頭隙から蒸発器、流体混合装置、改質装置、燃料電池スタック、およびアフタバーナの少なくとも１つにガスを供給することを含む、請求項１９から３５のいずれか一項に記載の方法。
【請求項３７】
改質可能燃料と酸素含有ガスとの混合物を流体混合装置、改質装置、および燃料電池スタックの少なくとも１つに供給することを含む、請求項１９から３６のいずれか一項に記載の方法。